【手続補正書】
【提出日】平成16年10月6日(2004.10.6)
【手続補正１】
【補正対象書類名】特許請求の範囲
【補正対象項目名】全文
【補正方法】変更
【補正の内容】
【特許請求の範囲】
【請求項１】
プロセッサおよび１つまたは２つ以上の電源を有し、各動作状態に適切な装置動作の設定の組を備える複数の該動作状態を備えるコンピュータ装置であって、
前記プロセッサは、動作中の電源の性質や状態のみによっては定義されない現在の動作状態を決定し、前記現在の動作状態に適した前記装置動作の選択を実行する、前記コンピュータ装置。
【請求項２】
前記装置動作の設定の少なくともいくつかは、電力管理用の選択である、請求項１に記載のコンピュータ装置。
【請求項３】
前記現在の動作状態を決定するために前記プロセッサによって使用される一つの入力は、当該コンピュータ装置の現在の位置である、請求項１または請求項２に記載のコンピュータ装置。
【請求項４】
当該コンピュータ装置は、位置情報を提供する全地球測位システム装置を有する、請求項３に記載のコンピュータ装置。
【請求項５】
当該コンピュータ装置は、位置情報を提供する無線電話装置を有する、請求項３に記載のコンピュータ装置。
【請求項６】
前記現在の動作状態を決定するために前記プロセッサによって使用される一つの入力は、当該コンピュータ装置の現在のネットワークアドレスである、請求項１または請求項２に記載のコンピュータ装置。
【請求項７】
前記現在の動作状態を決定するために前記プロセッサによって使用される一つの入力は、ネットワーク上の１つまたは２つ以上の装置によって当該コンピュータ装置に供給される情報である、請求項１または請求項２に記載のコンピュータ装置。
【請求項８】
前記現在の動作状態を決定するために前記プロセッサによって使用される一つの入力は、前記動作中の電源である、請求項１または請求項２に記載のコンピュータ装置。
【請求項９】
前記電源の１つはバッテリであり、前記現在の動作状態を決定するために前記プロセッサによって使用される一つの入力は、前記バッテリの充電状態である、請求項１または請求項２に記載のコンピュータ装置。
【請求項１０】
前記現在の動作状態を決定するために前記プロセッサによって使用される一つの入力は、当該コンピュータ装置の事前の使用に基づくユーザの動作のモデルである、請求項１または請求項２に記載のコンピュータ装置。
【請求項１１】
一つの動作状態は、前記動作中の電源に関係なく、性能を最適化するように適合される、請求項１または請求項２に記載のコンピュータ装置。
【請求項１２】
一つの動作状態は電力の節約に適合され、かつ、特定の定義された位置以外では、前記現在の動作状態となるように適合される、請求項３に記載のコンピュータ装置。
【請求項１３】
当該コンピュータ装置は、当該コンピュータ装置の電力状態を変更するように適合されたボタンを有し、前記プロセッサは、現在の動作状態の変化により、これらのボタンの機能を変更するように適合される、請求項１または請求項２に記載のコンピュータ装置。
【請求項１４】
当該コンピュータ装置は、１つまたは２つ以上のアプリケーションをインストールしており、前記プロセッサは、動作状態の変化により、これらのインストールされたアプリケーションの機能を有効または無効にするように適合される、請求項１または請求項２に記載のコンピュータ装置。
【請求項１５】
前記装置動作の設定のうちの１つまたは２つ以上のものは、動作状態についての当該コンピュータ装置の好ましい環境設定に関連する、請求項１に記載のコンピュータ装置。
【請求項１６】
前記装置動作の設定のうちの１つは、デフォルトプリンタに関連する、請求項１５に記載のコンピュータ装置。
【請求項１７】
前記装置動作設定の１つは、プロキシサーバに関連する、請求項１５に記載のコンピュータ装置。
【請求項１８】
前記装置動作の設定のうちの１つは、当該コンピュータ装置のデスクトップに関連する、請求項１５に記載のコンピュータ装置。
【請求項１９】
当該コンピュータ装置は、そのユーザが前記プロセッサの現在の動作状態の決定を無効にすることができるように適合される、請求項１ないし１８のいずれか１項に記載のコンピュータ装置。
【請求項２０】
当該コンピュータ装置は、そのユーザが、新しい動作状態と、該新しい動作状態が前記現在の動作状態である時を決定するルールとを定義することができるように適合される、請求項１ないし１９のいずれか１項に記載のコンピュータ装置。
【請求項２１】
当該コンピュータ装置は、そのユーザが、前記装置動作の選択、または既存の動作状態を決定するためのルールを変更することができるように適合される、請求項１ないし２０のいずれか１項に記載のコンピュータ装置。
【請求項２２】
いずれの動作状態も、当該コンピュータ装置に利用可能なリソースの存在のみによっても定義されず、当該リソースの欠如のみによっても定義されない、請求項１ないし２１のいずれか１項に記載のコンピュータ装置。
【請求項２３】
当該コンピュータ装置は、モバイルコンピュータ装置である、請求項１ないし２２のいずれか１項に記載のコンピュータ装置。
【請求項２４】
当該コンピュータ装置は、ノートブックコンピュータである、請求項２３に記載のコンピュータ装置。
【請求項２５】
当該コンピュータ装置は、携帯情報端末である、請求項２３に記載のコンピュータ装置。
【請求項２６】
１つまたは２つ以上の選択的に使用可能なリソースを有するコンピュータ装置における電力管理の方法であって、
各動作状態に適切な電力管理に関する装置動作の選択の組を備える複数の該動作状態を定義するステップと、
前記１つまたは２つ以上の選択可能なリソースの特定の１つが使用中であるかどうかのみによっては定義されない現在の動作状態を決定するステップと、
前記現在の動作状態に適した前記装置動作の選択を実施するステップと、を含む方法。
【請求項２７】
前記現在の動作状態を決定するステップは、直接的または間接的な電力管理要求情報を提供する１つまたは２つ以上の情報源をポーリングするステップを含む、請求項２６に記載の方法。
【請求項２８】
一つの情報源は、前記コンピュータ装置の現在の位置を検出する装置である、請求項２７に記載の方法。
【請求項２９】
一つの情報源は、前記現在の動作状態が前記コンピュータ装置の事前の使用に基づくユーザの動作のモデルであることを決定する装置である、請求項２７に記載の方法。
【請求項３０】
前記現在の動作状態を決定するためにプロセッサによって使用される一つの入力は、前記コンピュータ装置の現在のネットワークアドレスである、請求項２７に記載の方法。
【請求項３１】
前記現在の動作状態を決定するためにプロセッサによって使用される一つの入力は、前記動作中の電源である、請求項２７に記載の方法。
【請求項３２】
前記電源の１つはバッテリであり、前記現在の動作状態を決定するためにプロセッサによって使用される一つの入力は、前記バッテリの充電状態である、請求項２７に記載の方法。
【請求項３３】
一つの動作状態は電力の節約に適合され、かつ、特定の定義された位置以外では、前記現在の動作状態となるように適合される、請求項２８に記載の方法。
【請求項３４】
前記コンピュータ装置は、１つまたは２つ以上のアプリケーションをインストールしており、前記現在の動作状態に適した装置動作の選択を実施するステップが、該インストールされたアプリケーションの機能を有効にするステップ、または、無効にするステップを含む、請求項２６に記載の方法。
【請求項３５】
前記コンピュータ装置は、モバイルコンピュータ装置である、請求項２６ないし３４のいずれか１項に記載の方法。
【請求項３６】
前記１つまたは２つ以上の選択的に使用可能なリソースは、バッテリおよび電源を備える、請求項２６ないし３５のいずれか１項に記載の方法。
【請求項３７】
前記１つまたは２つ以上の選択的に使用可能なリソースはネットワーク接続を備える、請求項２６ないし３６のいずれか１項に記載の方法。